(57)【要約】【課題】最終駒をケースにがたなく取り付けることができるとともに、外部に露出する部材間の隙間等をなくして外観を良好にでき、かつ加工コストを削減できるケースと最終駒との取付構造を採用した時計を提供すること。【解決手段】時計１に取り付けられるバンドの最終駒１０において、ばね棒５０の外周面とばね棒挿通孔１３の内周面との間に、当該最終駒１０をばね棒５０に対してケースのカン又面側に付勢する薄板リング２０を介装させた。薄板リング２０は筒状とされ、その軸方向の中央には、複数の押圧部２２および接触部２３からなる波状部分を周方向の沿って設け、この波状部分を弾性変形または塑性変形するように設けた。【選択図】図１
2010243166.tif 000002
【特許請求の範囲】
【請求項１】
ケースには互いに対向するカンが設けられ、これらのカンにはばね棒の両端が挿入され、このばね棒にはバンドの最終駒が貫挿されている時計であって、
前記ばね棒の外周面と前記最終駒のばね棒挿通孔の内周面との間には、当該最終駒を前記ばね棒に対して前記ケースのカン又面側に付勢する付勢部材が介装されている
ことを特徴とする時計。
【請求項２】
請求項１に記載の時計において、
前記付勢部材は筒状とされ、
前記付勢部材の周壁部は、前記ばね棒の外周を押圧する押圧部と、前記ばね棒挿通孔の内周に接触する接触部とを有して周方向に沿って波状に形成され、
この波状部分が変形自在に設けられている
ことを特徴とする時計。
【請求項３】
請求項２に記載の時計において、
前記付勢部材の波状に形成された部分には、周方向に沿って複数の開口部が設けられる  ことを特徴とする時計。
【発明の詳細な説明】
【技術分野】
【０００１】
本発明は、時計に係り、金属製バンドの最終駒（エンドピース）とケースとの取付構造の改良に関する。
【背景技術】
【０００２】
従来、腕時計において、時計のケースと金属製バンドの最終駒との間のがたつきをなくす取付構造が提案されている（例えば、特許文献１）。
この特許文献１に記載の取付構造は、ケースのカンに設けられたピン孔の内径寸法を連結ピンの外径寸法と略同じにしてがたをなくし、一方で、最終駒側のピン孔をバンドの長手方向に長い長孔とし、最終駒の裏面に設けられた凹部に固定部材を挿入することにより、凹部内に露出した連結ピンに固定部材のテーパ面を接触させるものである。この構造では、固定部材を凹部に挿入して行くに従い、連結ピンを基準にして固定部材がケース側に押し付けられることになり、この固定部材を介して最終駒全体がケースに押圧され、がたつきがなくなる。
【先行技術文献】
【特許文献】
【０００３】
【特許文献１】特開２００４−２９４２８４号公報
【発明の概要】
【発明が解決しようとする課題】
【０００４】
しかしながら、特許文献１に記載の構造では、最終駒の凹部と固定部材との間に隙間が生じるうえ、固定部材周辺の隙間が均一にならず、外観上高級感に欠けるという問題がある。また、そのような隙間に汚れがたまり易く、この点でも高級感が阻害される。
さらに、最終駒に凹部を設けるための加工や、固定部材の加工、凹部でのねじ孔加工、およびねじの緩み止め加工等が必要であり、加工コストが嵩むという問題もある。
【０００５】
本発明の目的は、最終駒をケースにがたなく取り付けることができるとともに、外部に露出する部材間の隙間等をなくして外観を良好にでき、かつ加工コストを削減できるケースと最終駒との取付構造を採用した時計を提供することにある。
【課題を解決するための手段】
【０００６】
本発明の時計は、ケースには互いに対向するカンが設けられ、これらのカンにはばね棒の両端が挿入され、このばね棒にはバンドの最終駒が貫挿されている時計であって、前記ばね棒の外周面と前記最終駒のばね棒挿通孔の内周面との間には、当該最終駒を前記ばね棒に対して前記ケースのカン又面側に付勢する付勢部材が介装されていることを特徴とする。
【０００７】
本発明によれば、ばね棒とばね棒挿通孔との間に介装された付勢部材により、最終駒がケースのカン又面側に付勢されるので、ケースに対して最終駒をがたが生じることなく確実に取り付けることができる。この際、付勢部材はばね挿通孔内に入り込んで露出しないうえ、従来とは異なって最終駒の裏面側には一切加工が不要であり、また、そのような裏面側に固定される固定部材も不要であるから、加工工数も少なくてすみ、外観を損なうような隙間等もなくすことができる。
【０００８】
本発明の時計においては、前記付勢部材は筒状とされ、前記付勢部材の周壁部は、前記ばね棒の外周を押圧する押圧部と、前記ばね棒挿通孔の内周に接触する接触部とを有して周方向に沿って波状に形成され、この波状部分が変形自在に設けられていることが望ましい。
本発明によれば、付勢部材に設けられた押圧部と接触部とからなる波状部分の変形（弾性変形または塑性変形のことをいう）により、その反力が付勢力となって最終駒をカン又面側に確実に押し付けることができる。
【０００９】
本発明の時計において、前記付勢部材の波状に形成された部分には、周方向に沿って複数の開口部が設けられることが望ましい。
本発明によれば、付勢部材に設けられた開口部によって波状部分が変形し易くなるので、波状部分の変形以前にばね棒側が変形するといった不具合が生じるのを防止できる。
【発明の効果】
【００１０】
本発明によれば、ばね棒とばね棒挿通孔との間に付勢部材が介装されているため、この付勢部材の付勢力によって最終駒をケースにがたなく取り付けることができる。また、そのような付勢部材がばね挿通孔内に収容されることで、外部に露出する部材間の隙間等をなくして外観を良好にでき、かつ最終駒には特別な加工等が不要であり、加工コストを削減できる。
【図面の簡単な説明】
【００１１】
【図１】本発明の第１実施形態に係る時計の要部を示す断面図。
【図２】前記時計に用いられるバンドの最終駒を示す平断面図。
【図３】前記時計に用いられる薄板リングの軸方向に沿った断面図。
【図４】前記薄板リングの径方向に沿った断面図。
【図５】前記薄板リングに開口部２４を設けた例を示す断面図。
【図６】本発明の第２実施形態に係る時計の最終駒を示す断面図。
【図７】本発明の第３実施形態に係る時計の最終駒を示す断面図。
【発明を実施するための形態】
【００１２】
〔第１実施形態〕
図１は、本発明の第１実施形態に係る時計１の要部を示す断面図である。図２は、時計１に用いられるバンドの最終駒１０を示す平断面図である。ただし、図１においては、後述するばね棒５０については断面していない。
図１、図２において、時計１は、金属製のケース２に金属製のバンドが取り付けられるものであり、ケース２に設けられた一対のカン３（図１に一方のみを破線で図示）の間には、バンドの端部を構成する最終駒１０が取り付けられる。
【００１３】
最終駒１０は、カン３間に位置する駒本体部１１と、駒本体部１１に一体に設けられて図示しない次の駒が連結される連結部１２とを備え、全体凸形状に形成されている。駒本体部１１にはばね棒挿通孔１３が、連結部１２には連結孔１４がそれぞれ、各部１１，１２の幅方向に貫通して設けられている。ばね棒挿通孔１３にはばね棒５０が挿通され、連結部１２には図示しない連結ピンが挿通される。
【００１４】
ばね棒５０の両端には、内部のばねによって外方に付勢されたピン５１が設けられ、これらのピン５１をカン３のカン孔に挿入することで、図１に示すように、最終駒１０がケース２に取り付けられる。この際、ケース２に当接される最終駒１０の当接面１５の上縁部１６は、ケース２のカン又面４に隙間なく当接され、当接面１５の下方位置からケース２側に向けて突設されたエラ１７は、ケース２の下方外縁部５に当接される。なお、上縁部１６は、周方向の両側部分（３時側と９時側）がカン又面４に当接されるのが一般的である。
【００１５】
本実施形態において、最終駒１０のばね棒挿通孔１３内には、付勢部材としての筒状の薄板リング２０が圧入され、ばね棒挿通孔１３の内周面とばね棒５０の外周面との間に位置している。薄板リング２０の軸方向の長さ寸法は、ばね棒挿通孔１３の長さ寸法と略同じであるが、薄板リング２０の端部がばね棒挿通孔１３から突出することはない。
【００１６】
図３は、薄板リング２０の軸方向に沿った断面図であり、図４は、薄板リング２０の径方向に沿った断面図である。
図３、図４において、薄板リング２０は、軸方向に沿って連続したスリット２１を有しており、径方向に沿った断面で見た場合、このスリット２１によって周方向には不連続な形状とされている。
【００１７】
薄板リング２０の軸方向の中央には、外周面側では軸中心に向かって窪み、内周側では軸中心に向かって突出した押圧部２２が設けられている。この押圧部２２は、周方向にそって複数、例えば本実施形態では等間隔で５箇所に設けられ、薄板リング２０内に挿入されるばね棒５０の外周面を押圧する。薄板リング２０において、これら５箇所の押圧部２２以外の部分は、ばね棒挿通孔１３に圧入される部分であり、ばね棒挿通孔１３の内周面との接触部２３になっている。つまり、薄板リング２０の軸方向の中央部分には、複数の押圧部２２および接触部２３により、周方向に沿った波状部分が形成されるのである。
【００１８】
また、薄板リング２０がばね棒挿通孔１３に圧入されることから、薄板リング２０の外形寸法はばね棒挿通孔１３の内径よりも大きく設定される。また、薄板リング２０に対しては、ばね棒５０が挿抜自在に挿通されることが望ましいことから、ばね棒挿通孔１３内に挿通された状態の薄板リング２０の内径寸法（押圧部２２部分での内径寸法）は、ばね棒５０の外径寸法と略同じ程度に設定される。
【００１９】
ここで、カン又面４の最終駒１０が当接される部位からカン孔の孔中心までの寸法は、製造上の最大寸法許容差を考慮しても、最終駒１０の上縁部１５からばね棒挿通孔１３の孔中心までの寸法よりも小さく設定されている。
【００２０】
すなわち、最終駒１０の上縁部１５からばね棒挿通孔１３の孔中心までの寸法の方が大きいことから、最終駒１０がケース２に取り付けられた状態では、薄板リング２０とばね棒５０との間に形成される隙間Ｃ１や、薄板リング２０の押圧部２２に対応した部分とばね棒挿通孔１３内周面との間の隙間Ｃ２は、ケース２に近い側で波状部分が弾性変形または塑性変形することに伴ってつぶれ、この際の反力が付勢力となって最終駒１０がケース側に付勢される。
【００２１】
なお、図５には、薄板リング２０において、押圧部２２周りの接触部２３に開口部２４を設けた例が示されている。このような構造の薄板リング２０では、押圧部２２を容易に変形させることが可能である。このような開口部２４は、最終駒１０の大きさやばね棒５０の強度などを勘案し、適宜に設けられる。
【００２２】
このような構造の時計１では先ず、最終駒１０のばね棒挿通孔１３内に薄板リング２０を圧入し、ばね棒５０を薄板リング２０内に挿通する。この状態で、ばね棒５０の一方のピン５１を一方のカン３のカン孔に挿入し、他方のピン５１を窪ませた状態にして他方のカン３のカン孔に対向させ、他方のピン５１を突出させてカン孔に挿入する。以上により、最終駒１０がケース２に取り付けられる。
【００２３】
以上の本実施形態によれば、以下の効果がある。
すなわち、最終駒１０において、ばね棒５０とばね棒挿通孔１３との間には、変形自在な薄板リング２０が介装されているため、この薄板リング２０での変形により生じた付勢力で最終駒１０をケース２のカン又面４側に付勢でき、ケース２に対して最終駒１０をがたが生じることなく確実に取り付けることができる。
【００２４】
さらに、薄板リング２０は、ばね挿通孔１３内に入り込んで露出しないうえ、従来とは異なって最終駒１０の裏面側には一切加工が不要であり、また、そのような裏面側に固定される固定部材も不要であるから、加工工数も少なくてすみ、加工コストを削減できる。そして、固定部材が不要なことで外観を損なうような隙間等も存在せず、隙間に汚れ等が付着することもない。
【００２５】
薄板リング２０は筒状とされ、その長手方向の中央位置には、押圧部２２と接触部２３とからなる波状部分が周方向に沿って設けられ、この波状部分が弾性変形または塑性変形する構成であるから、波状部分の変形により最終駒１０への付勢力を確実に生じさせることができ、最終駒１０をカン又面１４側に良好に押し付けることができる。
【００２６】
また、波状部分に開口部２４を設けた構造にすれば、この開口部２４によって波状部分が変形し易くなるので、波状部分の変形以前にばね棒５０側が変形するといった不具合が生じるのを防止でき、組立性および信頼性を向上させることができる。
【００２７】
〔第２実施形態〕
図６には、本発明の第２実施形態に係る時計の最終駒１０が示されている。
本実施形態では、最終駒１０に設けられるばね棒挿通孔１３が一端側の大径部１３１と他端側の小径部１３２とで構成されている。また、薄板リング２０の軸方向の長さ寸法は、ばね棒挿通孔１３の長寸法よりも格段に短くなっている。ただし、薄板リング２０の長さ寸法は特に限定されるものではなく、その実施にあたって適宜決められてよい。
【００２８】
このような本実施形態では、薄板リング２０が大径部１３１と小径部１３２との境界である段差部１３３まで圧入される。この際、大径部１３１および小径部１３２の各長さ寸法は、段差部１３３まで薄板リング２０を圧入した場合に、薄板リング２０の軸方向の中央が最終駒１０の幅方向の中央と一致するよう、薄板リング２０の長さ寸法等を勘案して決定される。
【００２９】
また、大径部１３１の内径寸法Ｄ１から薄板リング２０の板厚寸法（片側厚み）Ｔの２倍を差し引いた値よりも、小径部１３２の内径寸法Ｄ２の方が大きくなっている。つまり、段差部１３３の高さは薄板リング２０の板厚寸法よりも小さい。このことにより、最終駒１０をケース２に取り付けた場合に、薄板リング２０の押圧部２２が十分に変形する以前に、ばね棒５０の外周が小径部１３２の内周面に当たってしまうのを防止し、押圧部２２の変形が妨げられないようになっている。
【００３０】
本実施形態によれば、第１実施形態の効果に加えて、さらに以下の効果がある。
すなわち、薄板リング２０の長さ寸法は、ばね棒挿通孔１３の長さ寸法よりも格段に小さいのであるが、その設置位置は、薄板リング２０の軸方向の中央と最終駒１０の幅方向の中央とが一致するようになっているため、ケース２に最終駒１０を取り付けた場合には、薄板リング２０の軸向において左右対象に負荷がかかり、中央に設けられた押圧部２２を良好に変形させることができる。
【００３１】
また、薄板リング２０を小さめに設けておくことで、最終駒１０の大きさに影響されないから、男性用および婦人用の両方の時計に用いることができ、薄板リング２０の標準化を図って部品の種類を低減できる。
【００３２】
さらに、大径部１３１に薄板リング２０を圧入する際には、段差部１３３に当接するまで、薄板リング２０を押し込めばよく、薄板リング２０を所定の位置に容易かつ確実に位置決めできる。
【００３３】
そして、最終駒１０をケース２に取り付ける際には、ばね棒挿通孔１３の大径部１３１側から突出するばね棒５０のピン５１を最後にカン孔に挿入すればよく、薄板リング２０の長さ寸法が小さいことで、当該ピン５１とばね棒挿通孔１３端部との間には薄板リング２０の端部が存在しないことから、ピン５１の押さえ込みや、ピン５１を押え込みながらカン孔に対向させる作業を容易にでき、カン孔への挿入を簡単にできる。
【００３４】
〔第３実施形態〕
図７には、本発明の第３実施形態に係る時計の最終駒１０が示されている。
本実施形態では、小径部１３２の長さ寸法を小さくし、小径部１３２の両側に大径部１３１を設けた構成になっている。
このような本実施形態では、第２実施形態での効果を同様に得ることができるうえ、次の効果がある。すなわち、ばね棒挿通孔１３の両側開口部分が大径部１３１による開口とされているから、ばね棒５０の両方のピン５１をカン孔に容易に挿入でき、取付作業の作業性をより向上させることができる。
【００３５】
なお、本発明は以上の各実施形態に限定されるものではなく、以下に示す変形例も含まれる。
例えば、前記各実施形態では、ばね棒挿通孔１３に薄板リング２０が圧入され、薄板リング２０内にばね棒５０が挿抜自在に挿入されていたが、薄板リング２０とばね棒５０とが圧入の関係にあり、ばね棒５０が圧入された薄板リング２０をばね棒挿通孔１３に対して挿抜自在に挿入してもよい。
【００３６】
前記実施形態では、薄板リング２０の押圧部２２は、周方向に沿って５箇所に設けられていたが、５箇所に限定されず、任意の数だけ設けられてよい。しかし、押圧部２２の変形を促すような隙間が薄板リング２０とばね棒挿通孔１３との間に存在するか、薄板リング２０とばね棒５０との間に存在する必要がある。そして、このような隙間が存在し、押圧部２２が変形可能であれば、押圧部２２としてはばね棒挿通孔１３の内周面側に向けて突出した形状であってもよい。
【００３７】
前記実施形態では、最終駒１０の形状としては凸形状であったが、これに限定されず、凹形状であってもよい。この場合、カン３への最終駒１０の連結と、最終駒１０への次の駒の連結とが同一のばね棒５０で行われる構造となる。そして、そのような最終駒１０には、ばね棒挿通孔１３が同軸上に一対設けられることになるため、両方のばね棒挿通孔１３に薄板リング２０を配置することが望ましい。
【符号の説明】
【００３８】
１…時計、２…ケース、３…カン、１０…最終駒、２０…付勢部材である薄板リング、２２…押圧部、２３…接触部、２４…開口部、５０…ばね棒。
【図１】
2010243166.tif 000003
【図２】
2010243166.tif 000004
【図３】
2010243166.tif 000005
【図４】
2010243166.tif 000006
【図５】
2010243166.tif 000007
【図６】
2010243166.tif 000008
【図７】
2010243166.tif 000009